(57)【要約】本発明は前方部（２）と後方部（３）を含む衛生ナプキン、パンティライナーまたは女性用失禁ナプキンの形の吸収性物品（１）に関し、それは液体透過性ケーシングシート（７）と液体不透過性ケーシングシート（８）との間に収容された吸収体（４，５，６）を含み、更に吸収体は前方部の前端部から後方部の後端部まで延びる中央パッド（４）と、そのそれぞれの側方の中央吸収体の側縁に沿ってかつ前記吸収体の一部に沿って延びる二つの側方体（５，６）とから構成されている。この発明によれば、中央吸収体（４）は物品の前方部（２）に位置した最大幅の部分から前記物品の後方部（３）の端部まで後方に向けて先細りとなり、更に側方体（５，６）は中央吸収体の先細り部のある点から物品の後端部まで後方に向けて延びている。【選択図】図１
2004514536.tif 000002
【特許請求の範囲】
【請求項１】
前方部（２；２′；２″；１０２）と後方部（３；３′；３″；１０３）を持つ衛生ナプキン、パンティライナーまたは女性用失禁ナプキンの形の吸収性物品（１；１′；１″；１０１）であって、それが液体透過性ケーシングシート（７；７′；７″；１０７）と液体不透過性ケーシングシート（８；８′；８″；１０８）との間に収容された吸収体（４，５，６；４′，５′，６′；４″，５″，６″；１０４，１０５，１０６）を含み、更に吸収体が前記物品の前方部の前端部からその後方部の後端部まで延びる中央パッド（４；４′；４″；１０４）と中央吸収体の側縁に沿ってかつそのそれぞれの側方の前記吸収体の一部に沿って延びる二つの側方体（５，６；５′，６′；５″，６″；１０５，１０６）とから構成されているものにおいて、中央吸収体（４；４′；４″；１０４）が前方部（２；２′；２″；１０２）内に設けられた最大幅の部分から後方部（３；３′；３″；１０３）の端部まで後方に向けて狭くなること、及び側方体（５，６；５′，６′；５″，６″；１０５，１０６）が中央吸収体の先細り部のある点から前記物品の後端部まで後方に向けて延びることを特徴とする吸収性物品。
【請求項２】
側方体（５，６；５′，６′；５″，６″；１０５，１０６）が中央吸収体（４；４′；４″；１０４）から分離されている吸収体からなることを特徴とする請求項１に記載の吸収性物品。
【請求項３】
側方体が中央吸収体に含まれた吸収性材料の層の部分からなることを特徴とする請求項１に記載の吸収性物品。
【請求項４】
側方体が側方体が部分を形成する吸収体の層内の折り曲げ線により中央吸収体から境界を定められていることを特徴とする請求項３に記載の吸収性物品。
【請求項５】
中央吸収体（４；４′；４″；１０４）が前方部（２；２′；２″；１０２）内に９０−６０ｍｍ、好ましくは７０ｍｍの最大幅と、後方部（３；３′；３″；１０３）内に５−１５ｍｍ、好ましくは１０ｍｍの最小幅を持つことを特徴とする請求項１−４のいずれか一つに記載の吸収性物品。
【請求項６】
物品の縦対称軸に沿って前記物品の後端部から前記前方部（２′；２″）まで延びる予め緊張した弾性素子（２０，２１）を特徴とする請求項１−５のいずれか一つに記載の吸収性物品。
【請求項７】
ケーシングシート（１０７，１０８）間の中央吸収体（１０４）と側方体（１０５，１０６）との間の空間内に配置された予め緊張された弾性素子（２０，２１）を特徴とする請求項１−６のいずれか一つに記載の吸収性物品。
【請求項８】
弾性素子（１５；１８，１９）が中央吸収体（４′；４″）と液体透過性ケーシングシート（７′；７″）との間に配置されていることを特徴とする請求項６または７に記載の吸収性物品。
【請求項９】
弾性素子（１５；１８，１９）が前方部（２′；２″）中に延びることを特徴とする請求項６，７または８に記載の吸収性物品。
【請求項１０】
中央吸収体（４；４′；４″；１０４）が高吸収性の吸収性材料の第一層と、吸収性材料の第一層（９；９′；９″；１０９）と液体透過性ケーシングシート（７；７′；７″；１０７）との間に配置された液体取得材料の第二層（１０；１０′；１０″；１１０）とを含むことを特徴とする請求項１−９のいずれか一つに記載の吸収性物品。
【請求項１１】
予め緊張された弾性素子（１５；１８，１９）が中央吸収体（４′；４″）の吸収性材料の第一層（９′；９″）の液体不透過性ケーシングシート（８′；８″）から遠い側に配置され、前記層（９′；９″）に固定されていることを特徴とする請求項８または１０に記載の吸収性物品。
【請求項１２】
予め緊張された弾性素子（１８，１９）が中央吸収体（４″）の全体に沿って縦方向に延び、かつ物品の前方部（２″）内で前記前方部の側縁に沿って延びることを特徴とする請求項６または１０に記載の吸収性物品。
【請求項１３】
側方体（５，６；５′，６′；５″，６″；１０５，１０６）が中央吸収体（４；４′；４″；１０４）の高吸収性の層（９；９′；９″；１０９）と同じ材料から構成されていることを特徴とする請求項１−１１のいずれか一つに記載の吸収性物品。
【請求項１４】
側方体（５，６；５′，６′；５″，６″；１０５，１０６）が中央吸収体（４；４′；４″；１０４）の液体取得層（１０；１０′；１０″；１１０）と同じ材料から構成されていることを特徴とする請求項９，１０または１１に記載の吸収性物品。
【発明の詳細な説明】
【０００１】
本発明は衛生ナプキン、パンティライナーまたは女性用失禁ナプキンのような吸収性物品に関し、そこではこの物品は前方部と後方部、液体透過性ケーシングシートと液体不透過性ケーシングシートとの間に収容された吸収体を含み、更に吸収体は前方部の前端部から後方部の後端部まで延びる中央パッドと、その一部に沿ってそのそれぞれの側方上の吸収体の側縁に沿って延びる二つの側方体を含む。
【０００２】
背景技術の説明
衛生ナプキン及びその類似物品は着用者の身体への適合性不足の結果または使用中のそれらの正しい位置からの変位の結果として洩れることが多い。この問題を解決する意図で多くの種々の解決策が提案された。衛生ナプキンを着用者の身体に適合させる一つの方法がＥＰ−Ａ２−０３０２５２３から知られており、それはナプキンの後方部内にシールされた折りたたみ部により作られた着用者のでん部間に置かれることを意図した上向きに突出する隆起またはこぶをナプキンの後方部分に備えた衛生ナプキンを教示する。別の方法はＵＳ−Ａ−５１９７９５９から知られており、それは吸収体の下に置かれた戻り素子を含む衛生ナプキンを教示し、この素子が使用時に吸収体に上向きに凸状の断面形状を与える。
【０００３】
Ｗ　９７／１５２５９は導入部に規定された種類の衛生ナプキンを教示し、そこでは中央に設けられた側方体が弾性手段のために、その縦中心部内の吸収体に上向き凸状形状を与える。この種の衛生ナプキンは多くの状態下でうまく機能する。しかし、着用者があお向けに横たわるとき後方洩れが起こる。
【０００４】
本発明の目的は着用者の身体に効果的に順応し、後方洩れに関しても良好な洩れ保護をもち、かつ平坦状態で製造されかつ包装されることのできる衛生ナプキン、パンティライナーまたは女性用失禁ナプキンの形の吸収性物品を提供することである。
【０００５】
発明の概要
これらの目的は前方部と後方部を持つ衛生ナプキン、パンティライナーまたは女性用失禁ナプキンの形の吸収性物品であって、それが液体透過性ケーシングシートと液体不透過性ケーシングシートとの間に収容された吸収体を含み、更に吸収体が前方部の前端部から後方部の後端部まで延びる中央パッドと、そのそれぞれの側方の中央吸収体の側縁に沿ってかつ前記吸収体の一部に沿って延びる二つの側方体を含むものにおいて、中央吸収体が前方部の最大幅の部分から後方部の端部まで後方に向けて狭くなること、及び側方体が前方部に位置する中央吸収体の先細り部のある点から物品の後端部まで後方に向けて延びていることを特徴とする吸収性物品により達成される。中央吸収体が後方に向けて先細りとなりまたは狭くなっているので、それは着用者のでん部間の空間に効果的に適合するであろうし、その全長に沿って着用者の身体と良好な接触を得るであろう。これは後方洩れに対して効果的なシールを提供する。同時に側方体は着用者のでん部に対置し、それにより物品の後方部での横洩れに対し効果的なシールを確実とする。
【０００６】
一つの好適実施例において、側方体は中央吸収体から分離されている吸収体からなる。中央吸収体は物品の前方部に９０−６０ｍｍ、好ましくは７０ｍｍの最大幅と、前記物品の後方部に５−１５ｍｍ、好ましくは１０ｍｍの最小幅とを持つ。中央吸収体はまた高吸収性の吸収性材料の第一層と、吸収性材料の第一層と液体透過性ケーシングシートとの間に配置された液体取得材料の第二層とを含む。側方体は好都合には液体取得シートまたは吸収性材料の第一シートと同じ材料からなる。
【０００７】
第二の有利な実施例において、予め緊張された弾性素子が物品の縦対称軸に沿って前記物品の後端部からその前方部まで延びる。弾性素子は好ましくは前記物品の前方部中に延びる。弾性素子は適当には中央吸収体と液体透過性ケーシングシートとの間に配置される。
【０００８】
弾性素子がまたケーシングシート間の中央吸収体と側方体との間の中間空間内に配置されることができる。
【０００９】
中央吸収体が高吸収性の吸収性材料の第一層と、吸収性材料の第一層と液体透過性ケーシングシートとの間に配置された液体取得材料の第二層とを含むとき、予め緊張された弾性素子が好ましくは中央吸収体の吸収性材料の第一層の液体不透過性ケーシングシートに対し遠い方に位置する側に配置され、前記層に固定されるであろう。
【００１０】
一つの有利な変更例において、予め緊張された弾性素子は中央吸収体の全体に渡って縦方向に延びることができ、物品の前方部内で前記前方部の側縁に沿って延びることができる。
【００１１】
この実施例の一変更例において、側方体は中央吸収体に含まれた吸収性材料の層の部分を構成することができ、それにより側方体は好都合には中央吸収体から側方体が一部を形成する吸収体の層内の折り曲げ線により境界を定められる。
【００１２】
図面の簡略説明
この発明が今や添付図面に関して述べられるであろう。図面において、
図１は本発明の衛生ナプキンの第一実施例の平面図であり；
図２は図１の線ＩＩ−ＩＩで取った断面図であり；
図３と４は本発明の衛生ナプキンの第二実施例のそれぞれ平面図と側面図であり；そして
図５と６はそれぞれこの発明の第三と第四実施例による衛生ナプキンの平面図である。
【００１３】
実施例の説明
図１と２はこの発明の第一実施例による使い捨て衛生ナプキン１を概略的に示す。ナプキン１は前方部２、後方部３、中央吸収体４及び吸収性材料から構成されかつ本質的にナプキンの後方部３内に位置した二つの側方体５，６を持つ。中央吸収体４と側方体５，６は液体透過性ケーシングシート７と液体不透過性ケーシングシート８との間に収容されている。ケーシングシート７，８はナプキンの全周周りに吸収体４−６を越えて突出しており、吸収体の外側に位置するこれらの部分で一緒に結合され、すなわち溶接または接着されている。
【００１４】
中央吸収体４は高吸収性の吸収性材料の第一層９を含む。この材料は好ましくは吸収性材料１ｇ当り９ｇの液体を吸収することができるであろう。中央吸収体はまた良好な液体取得性を持つ材料、すなわち液体を迅速に取得しこの液体を一時的に貯蔵することができる材料、の第二層１０を含む。取得層１０は液体透過性ケーシングシート７に近い方に配置されている。この構造の結果として吸収体は液体透過性ケーシングシート７上に排出された液体がそこから迅速に層１０中に輸送されそこに取得されるであろうことを確実とする。層１０は毛細管力により層９により排水される。排水を起こすために、層９の毛細管が層１０の毛細管より小さいことが必要である。再湿潤の危険を減らす意図で、いわゆる超吸収性材料、すなわち層中に混合された高分子粒子の重量の数倍に相当する量の液体を吸収することのできる高分子、の粒子が好都合には含まれることができる。
【００１５】
中央吸収体４は好都合には１４０−２６０ｍｍの長さを持つであろう。この吸収体は９０−６０ｍｍ、好ましくは７０ｍｍの最大幅を物品の前方部内に持ち、この前方部から後方部の後端部まで後向きに狭くなり、そこでそれは５−１５ｍｍ、好ましくは１０ｍｍの最小幅を持つ。この形状は吸収体４の後方部が着用者のでん部間の空間中にぴったり合うという事実のために、着用者の身体形状にうまく適合する。吸収体４はこの構造の結果として、着用者のももにより加えられる締め付け力が吸収体の曲率により吸収されるであろうという事実のため不快と感ずることなく、比較的硬くてもよい。かかる吸収体の曲率によりももに対して加えられる反発力は小さく、これは述べられたナプキンが着用に対して快適に感ぜられるであろうということを意味する。かかる吸収体の曲率はまた吸収性の観点からも好都合である。なぜならナプキンはそれにより湿潤時に着用者の身体と密着するように押圧されるからである。述べられた吸収体４の形と寸法はかくして機能と快適さに関して逆の影響なしに比較的硬い吸収体を使用可能とする。ナプキンが使用されるとき、吸収体の前方部は陰唇周りに曲げられるであろう。これは前方部の縁が着用者の皮膚をすりむくことがないであろうことを意味する。吸収体４の硬さは層９の剛性により決定される。層９の後縁が着用者の皮膚をすりむかないということを確実とするために、好都合には層１０が吸収体の後端部において例示された実施例の場合には２０−３０ｍｍの距離まで層９を越えて延びている。
【００１６】
衛生ナプキン１はまたナプキンの前方部２の液体不透過性ケーシングシート８の外側に接着剤被覆１１を含む。使用時には、この接着剤層は着用者のパンティまたはパンツの内面に固定されるであろう。使用前は、接着剤被覆１１は例えば剥離紙の保護層により覆われている。摩擦被覆１２がまた中央吸収体の後方部の領域内のケーシングシート８の外面に配置されることができる。
【００１７】
タッチアンドクローズファスナー素子またはパンティ及びパンツが通常作られている繊維材料と相互作用することのできる他の形式のフック素子のような、機械的ファスナーを使用することもできる。また特定の発泡材料、または前述のファスナー手段の組み合わせのような繊維材料に対して高い摩擦係数を持つ摩擦被覆を単独に用いることも可能である。
【００１８】
図１と２に関して述べられた衛生ナプキンを使用するとき、ナプキンはパンティまたはパンツの内面に固定され、その後でパンティは着用者の身体に対して引っ張り上げられ、それにより吸収体４の後方部が着用者のでん部間に押圧される。側方体５，６は別個の部品であるので、それらは吸収体４の外縁と側方体の内縁との間の空間により形成された自然の旋回手段周りに吸収体に関して自由に揺動できる。前記側方体は下向きに揺動し、着用したパンティにより着用者のでん部と接触するように押圧される。
【００１９】
液体透過性ケーシングシート７は柔らかい皮膚に優しい材料から構成される。この外部シート、または上部シートは多数の種々の形式の不織布材料の一つから構成されることができる。使用されることのできる他の材料は有孔プラスチックフィルム、プラスチック網、編まれた、クローセ編みされたまたは織られた繊維、及びかかる形式の材料の組み合わせ及びラミネートを含む。プラスチックは熱可塑性、例えばポリエチレン（ＰＥ）であることができる。不織布材料はセルロースまたは綿のような天然繊維からなることができるが、それに代えてポリエチレン（ＰＥ）、ポリプロピレン（ＰＰ）、ポリウレタン（ＰＵ）、ポリエステル、ナイロンまたは再生セルロースのような合成繊維、または種々の繊維の混合物からなることができる。衛生ナプキン、パンティライナーまたは失禁ナプキンのような吸収性物品の液体透過性上部シートを提供するのに使用される全ての材料が液体透過性ケーシングシート７のために使用されることができ、上に列挙された材料は例としてのみ与えられていることは理解されるであろう。
【００２０】
液体不透過性ケーシングシート８は柔軟な材料、好ましくはポリエチレン（ＰＥ）、ポリプロピレン（ＰＰ）またはポリエステルの薄いフィルムからなるが、それに代えて不織布材料のような液体透過性材料と、液体不透過性材料のラミネートからなることもできる。吸収性物品の製造において、液体不透過性外部シート、または背面シートとして用いられる全ての材料が使用されることができる。ケーシングシート８は好都合には空気透過性であることができる。
【００２１】
吸収体１の吸収性層９は引き続いての離解及びフラッフィングなしに少なくとも２５０ｇ／ｄｍ３の密度、好ましくは３００−４００ｇ／ｄｍ３の密度に圧縮された乾式形成されたセルロース繊維材料から構成されることができる。かかる材料はＷＯ　９４／１０９５６から既知であり、それはかかる材料の製造法及び性質に関する更なる情報のために参照させられる。しかし、かかる材料はまた良好な液体保持性を持つことが指摘されるであろう。層９はまた適当には２００−６００ｇ／ｍ２、好ましくは２５０−４００ｇ／ｍ２の面積当り重量を持つであろう。それは１．５ｍｍより厚くない層をもたらす。層９はまた対応する密度と面積当り重量の堅く圧縮されたマット形状またはエアレイフラッフパルプ、好ましくはケモサーモメカニカルフラッフパルプ（ＣＴＭＰ）から構成されることができる。かかる材料はＥＰ−Ａ−０３３６５７８に記載されたＣＩＲＣＵＬＡＲ　ＢＥＮＤ　ＰＲＯＣＥＤＵＲＥにより測定された約５．５Ｎの剛性を持つことができる。この文献は更なる情報のために参照させられる。
【００２２】
層１０で使用される良好な液体取得性の材料はセルロース繊維、合成繊維またはそれらの混合物の詰綿であることができる。かかる層の存在はナプキンの表面上を排出された液体が流れ、ナプキンの縁に達し、それから着用者のパンティまたは他の衣類を汚す危険を減らす。層９自体良好な液体取得性を持つけれども特にナプキンの狭い部分に液体取得層を設けることが適当である。層１０は適当にはＬＤＡパルプ（低密度エアレイパルプ）から構成される。ＬＤＡパルプはケミカルパルプ、メカニカルパルプまたはかかるパルプの混合物であることができ、好ましくは結合繊維混合物を持つ。層１０はそれに代えてカードスパンレースから構成されることができる。層１０は好ましくは約０．０５ｇ／ｃｍ３の密度と２０−１５０ｇ／ｍ２の面積当り重量を持つであろう。
【００２３】
側方体５，６は好都合には層９または層１０と同じ材料から作られることができる。側方体の主目的は側方洩れを防ぐことにあるので、それらは大量の液体を吸収する必要がなく、これは吸収性物品に含まれる全ての材料が側方体で使用されることができることを意味する。
【００２４】
被覆１１で用いられる接着剤は感圧ホットメルト接着剤、例えばＣｏｌｌａｎｏ，ＳｗｉｔｚｅｒｌａｎｄからのＥｃｏｍｅｌｔ　Ｈ１４５を含むことができる。それに代えて、テルペン樹脂のような接着強化添加物と通常組み合わされたアクリレート接着剤のような冷状態で感圧性である接着剤またはスチレンとブタジエンの共重合体のようなホットメルト接着剤を含む、他の商業的に入手可能な感圧接着剤が用いられることができる。
【００２５】
図３と４はこの発明の衛生ナプキンの第二実施例（ここでは参照番号１′を付した）を示す。図１と２に示されたナプキン１とナプキン１′との間の唯一の差はナプキン１′がフラップ１３，１４と予め緊張された弾性素子１５を備えていることである。ナプキン１に対応するナプキン１′のそれらの要素はプライム符号を付加して図１と２に用いられたそれらと同じ参照記号により識別されている。従って図３と４に示された実施例の説明は前述の差に限定され、他の点は図１と２に示された実施例が参照させられる。
【００２６】
前述のように、ナプキン１′はその縦方向に見たときナプキンの中間部の吸収体４′と側方体５′，６′を越えて横方向に延びるフラップ１３，１４を含む。ナプキンが着用されるとき、これらのフラップは着用者のパンツの側縁周りに折り曲げられることを意図しており、その外面に固定される。フラップ１３，１４はこの目的のためにナプキン１の被覆１１と同じ形式の接着剤被覆１６，１７を備えている。フラップは好都合にはケーシング層７′，８′の横方向に延びる部分からなるが、それに代えて別の柔軟な部分からなることもできる。
【００２７】
ナプキン１′はまたナプキンの縦対称軸に沿ってその後端部からナプキンの前方部２′中にわずかに延びる一つまたはそれ以上の弾性糸または弾性リボンの形の弾性素子１５を含む。弾性素子１５は好ましくは吸収体４′の第一層９′と液体透過性ケーシングシート７′との間に、または第一層９′と第二層１０′との間にまたは層１０′とケーシングシート７′との間にのいずれかに配置され、適当にはケーシングシートにまたは第一層９′に予め緊張した状態で固定される。例えば、弾性素子１５は非弾性材料の二つの層間に配置された弾性リボンから構成されることができ、それによりこの素子は前記層の一つまたは二つに直接固定される。それに代えて、弾性素子１５はケーシング層７′にまたは層９′に直接固定されたまたはこの目的のために糸間に配置された非弾性材料のストリップと取り巻き層との間に配置された一つまたはそれ以上の弾性糸から構成されることができ、それによりストリップとケーシングシートまたは層９′のいずれかとは相互にかつ中間糸に固定される。
【００２８】
弾性素子１５は吸収体４′の後方部をナプキンが負荷を受けていないときに図４に示された三次元形状を与えるように曲げさせまたは湾曲させる。これは吸収体４′の後方部がナプキン１′を着用するのに引き続いて着用者の身体と弾性接触するように押圧されるであろうことを意味する。これはナプキンの後方部の摩擦被覆の必要性を除去する。弾性素子１５は図１と２に示されたナプキン１の実施例に比べてナプキン１′の改善された身体適合と洩れ保護を提供する。
【００２９】
図５はこの発明のナプキンの第三実施例（ここでは参照番号１″を付された）を示す。ナプキン１″と図１と２に示されたナプキン１との間の唯一の差はナプキン１″が予め緊張された弾性素子１８，１９を含むことである。ナプキン１に対応するナプキン１″のそれらの要素は二重プライムを付して図１と２に用いられたそれらと同じ参照番号を与えられている。図５の実施例の以下の説明は前述の差に限定され、他の点について図１と２に示された実施例の説明が参照させられる。
【００３０】
予め緊張された弾性素子は中央吸収体４″の全体を横切って縦方向に延びる二つの弾性糸１８，１９から構成される。二つの糸１８，１９はナプキンの縦対称軸Ａ″−Ａ″に沿ってナプキンの後方部３″内に延び、一方ナプキンの前方部２″内では前記糸は中央吸収体の側縁に沿って延びる。更に、糸１８，１９は中央吸収体の層９″，１０″間に配置され、少なくともより硬い層９″に固定される。ナプキンの前方部内に位置する糸１８，１９はこのナプキン部を鉢状形状に変形させる。糸１８，１９のそれぞれは数本の弾性フィラメント及びまた弾性リボンからなることができる。
【００３１】
図６は更なる実施例による衛生ナプキン１０１を示す。ナプキン１０１と図３と４に示されたナプキン１′との間の唯一の差は予め緊張された弾性素子２０，２１の設計にある。ナプキン１′に対応するナプキン１０１のそれらの要素は１００を付加して図３と４に用いられたそれらと同じ参照番号を与えられている。従って、図６の実施例の説明は前述の差に限定され、他の点については図３と４に示された実施例が参照させられる。
【００３２】
予め緊張された弾性素子２０，２１は中央吸収体１０４と側方体１０５，１０６との間の空間内のケーシングシート１０７，１０８間に配置されナプキンの後縁から前方ナプキン部１０４中に延びる二つの弾性糸から構成される。糸２０，２１は一つまたはそれ以上の弾性フィラメントまたはリボンからなることができる。
【００３３】
前述の実施例による衛生ナプキンはそれらの後方部が極めてうまく着用者の身体と結合するという事実のため後方洩れに対して良好な保護を確実とする。中央吸収体の後方部は液体の後向きの流れを防ぐシールとして機能し、一方側方部は中央吸収体の先細り部を横断方向に流出する液体を処理し、また中央吸収体が飽和されたとしたら中央吸収体の排出を支援するための吸収予備を形成する。更に、これらのナプキンは平坦な形状を持ち、すなわち側方体と中央吸収体は平坦で製造及び包装時にそれ自体変形せず、これが包装されたナプキンがもしそれらが製造段階で既に使用時に望ましい三次元形状を与えられたとしたよりより小さな空間を取るであろうから製造及び同時包装の両者を容易とする。
【００３４】
述べられかつ例示された例示的実施例はこの発明の範囲内で修正されることができることは理解されるであろう。例えば、ナプキン１はナプキン１′のフラップ１３，１４に相当するフラップを備えることができ、弾性素子１５がたとえこれが好ましくないとしても液体透過性ケーシングシート上に配置されることができる。更に側方体は中央吸収体の一つの層と同じ材料から作られることができ、この層の一部を形成することさえでき、前記部は中央吸収体から液体不透過性ケーシングシートに近い層の輪郭に沿って延びる折り曲げ線により分離される。着用者のパンツにより与えられる圧力は着用したナプキンを所定場所に保つのに十分であることが多いので、弾性素子を欠いた衛生ナプキンに摩擦被覆を設けることは常に必要ではない。中央吸収体は一つの単一層から構成されることができるので、中央吸収体に液体取得層を含ませる必要はない。また中央吸収体に二つ以上の層を含ませること、例えば、液体取得層と液体貯蔵層との間に液体分散層を含ませることも可能である。超吸収性粒子の層がまた液体不透過性ケーシングシート近くに配置されることもできる。述べられた弾性素子特長はまた互いに組み合わせることができる。例えば、図３に示されたナプキンは中央吸収体と側方体との間の空間に弾性糸を備えることができる。更に、フラップを備えたナプキンはまた液体不透過性層またはシートの外面に図１に示されたナプキンと同じ方式で接着剤ファスナー装置を備えることができる。この発明は従って添付請求の範囲の内容によってのみ限定される。
【図面の簡単な説明】
【図１】
図１は本発明の衛生ナプキンの第一実施例の平面図である。
【図２】
図２は図１の線ＩＩ−ＩＩで取った断面図である。
【図３】
図３は本発明の衛生ナプキンの第二実施例の平面図である。
【図４】
図４は本発明の衛生ナプキンの第二実施例の側面図である。
【図５】
図５はこの発明の第三実施例による衛生ナプキンの平面図である。
【図６】
図６はこの発明の第四実施例による衛生ナプキンの平面図である。
【図１】
2004514536.tif 000003
【図２】
2004514536.tif 000004
【図３】
2004514536.tif 000005
【図４】
2004514536.tif 000006
【図５】
2004514536.tif 000007
【図６】
2004514536.tif 000008
【国際公開パンフレット】
2004514536.tif 000009
2004514536.tif 000010
2004514536.tif 000011
2004514536.tif 000012
2004514536.tif 000013
2004514536.tif 000014
2004514536.tif 000015
2004514536.tif 000016
2004514536.tif 000017
2004514536.tif 000018
2004514536.tif 000019
2004514536.tif 000020
2004514536.tif 000021
2004514536.tif 000022
2004514536.tif 000023
【国際調査報告】
2004514536.tif 000024
2004514536.tif 000025
2004514536.tif 000026
2004514536.tif 000027